【手続補正書】
【提出日】平成28年8月30日(2016.8.30)
【手続補正１】
【補正対象書類名】明細書
【補正対象項目名】０００９
【補正方法】変更
【補正の内容】
【０００９】
この発明に係るラミネート装置は、第１のラミネートフィルムを収容する第１の収容手段と、第２のラミネートフィルムを収容する第２の収容手段と、ラミネート対象媒体を収容する第３の収容手段と、待機搬送ローラ対よりも搬送方向の下流側に設けられた加熱加圧手段と、前記待機搬送ローラ対を停止させた状態で、前記第１の収容手段から供給される前記第１のラミネートフィルムと前記第２の収容手段から供給される前記第２のラミネートフィルムとをそれぞれの先端が前記待機搬送ローラ対に当接するまで搬送する共に、前記第３の収容手段から供給される前記ラミネート対象媒体を前記待機搬送ローラ対に当接されて停止している前記第１のラミネートフィルムと前記第２のラミネートフィルムとの間に搬送し、その後、前記待機搬送ローラ対を駆動し、前記第１のラミネートフィルム、前記第２のラミネートフィルム、及びそれらの間に挟まれた前記ラミネート対象媒体を前記加熱加圧手段に搬送する搬送手段と、を備えることを特徴とする。
【手続補正２】
【補正対象書類名】明細書
【補正対象項目名】００１０
【補正方法】変更
【補正の内容】
【００１０】
また、この発明に係る他のラミネート装置は、第１の収容手段に載置された第１の収容物を待機搬送ローラ対まで搬送するための第１の搬送手段と、第２の収容手段に載置された第２の収容物を前記待機搬送ローラ対まで搬送するための第２の搬送手段と、第３の収容手段に載置された第３の収容物を前記待機搬送ローラ対まで搬送するための第３の搬送手段と、前記待機搬送ローラ対よりも搬送方向の下流側に設けられた加熱加圧手段と、前記第２の収容物の少なくとも先端が前記第１の収容物と前記第３の収容物との間に挟持されるように、前記第１の搬送手段で前記第１の収容物を、前記第２の搬送手段で前記第２の収容物を、前記第３の搬送手段で前記第３の収容物を、前記待機搬送ローラ対を停止させた状態で前記待機搬送ローラ対まで搬送し、前記第１の収容物、前記第２の収容物、及び前記第３の収容物を前記待機搬送ローラ対まで搬送した後に、前記待機搬送ローラ対を駆動し、前記第１の収容物、前記第３の収容物、及びそれらの間に挟まれた前記第２の収容物を前記加熱加圧手段に搬送する制御手段と、を備えることを特徴とする。
【手続補正３】
【補正対象書類名】明細書
【補正対象項目名】００１１
【補正方法】変更
【補正の内容】
【００１１】
また、この発明に係る画像形成装置は、印刷モードとラミネートモードとを切り替える切替手段と、第１の収容物として第１のラミネートフィルムまたは被印刷媒体を収容する第１の収容手段と、第２の収容物として第２のラミネートフィルムまたは被印刷媒体を収容する第２の収容手段と、第３の収容物としてラミネート対象媒体または被印刷媒体を収容する第３の収容手段と、待機搬送ローラ対よりも搬送方向の下流側に設けられた定着手段と、前記切替手段により前記ラミネートモードに切り替えられた際に、前記待機搬送ローラ対を停止させた状態で、前記第１の収容手段から供給される前記第１の収容物と前記第２の収容手段から供給される前記第２の収容物とをそれぞれの先端が前記待機搬送ローラ対に当接するまで搬送する共に、前記第３の収容手段から供給される前記第３の収容物を前記待機搬送ローラ対に当接されて停止している前記第１の収容物と前記第２の収容物との間に搬送し、その後、前記待機搬送ローラ対を駆動し、前記第１の収容物、前記第２の収容物、及びそれらの間に挟まれた前記第３の収容物を前記定着手段に搬送する搬送手段と、を備えることを特徴とする。
【手続補正４】
【補正対象書類名】明細書
【補正対象項目名】００１２
【補正方法】変更
【補正の内容】
【００１２】
この発明に係る他の画像形成装置は、印刷モードとラミネートモードとを切り替える切替手段と、第１の収容手段に載置された第１の収容物を待機搬送ローラ対まで搬送するための第１の搬送手段と、第２の収容手段に載置された第２の収容物を前記待機搬送ローラ対まで搬送するための第２の搬送手段と、第３の収容手段に載置された第３の収容物を前記待機搬送ローラ対まで搬送するための第３の搬送手段と、前記第１の収容物、前記第２の収容物又は前記第３の収容物を前記待機搬送ローラ対まで搬送した後に前記待機搬送ローラ対を駆動させる制御手段と、前記待機搬送ローラ対よりも搬送方向の下流側に設けられた定着手段と、を備え、前記制御手段は、前記切替手段により前記ラミネートモードに切り替えられた際に、前記第２の収容物の少なくとも先端が前記第１の収容物と前記第３の収容物との間に挟持されるように、前記第１の搬送手段で前記第１の収容物を、前記第２の搬送手段で前記第２の収容物を、前記第３の搬送手段で前記第３の収容物を、前記待機搬送ローラ対を停止させた状態で前記待機搬送ローラ対まで搬送し、前記第１の収容物、前記第２の収容物、及び前記第３の収容物を前記待機搬送ローラ対まで搬送した後に、前記第１の収容物、前記第３の収容物及びそれらの間に挟まれた前記第２の収容物を前記定着手段に搬送する、ことを特徴とする。
【手続補正５】
【補正対象書類名】特許請求の範囲
【補正対象項目名】全文
【補正方法】変更
【補正の内容】
【特許請求の範囲】
【請求項１】
第１のラミネートフィルムを収容する第１の収容手段と、
第２のラミネートフィルムを収容する第２の収容手段と、
ラミネート対象媒体を収容する第３の収容手段と、
待機搬送ローラ対よりも搬送方向の下流側に設けられた加熱加圧手段と、
前記待機搬送ローラ対を停止させた状態で、前記第１の収容手段から供給される前記第１のラミネートフィルムと前記第２の収容手段から供給される前記第２のラミネートフィルムとをそれぞれの先端が前記待機搬送ローラ対に当接するまで搬送する共に、前記第３の収容手段から供給される前記ラミネート対象媒体を前記待機搬送ローラ対に当接されて停止している前記第１のラミネートフィルムと前記第２のラミネートフィルムとの間に搬送し、その後、前記待機搬送ローラ対を駆動し、前記第１のラミネートフィルム、前記第２のラミネートフィルム、及びそれらの間に挟まれた前記ラミネート対象媒体を前記加熱加圧手段に搬送する搬送手段と、
を備えることを特徴とするラミネート装置。
【請求項２】
第１の収容手段に載置された第１の収容物を待機搬送ローラ対まで搬送するための第１の搬送手段と、
第２の収容手段に載置された第２の収容物を前記待機搬送ローラ対まで搬送するための第２の搬送手段と、
第３の収容手段に載置された第３の収容物を前記待機搬送ローラ対まで搬送するための第３の搬送手段と、
前記待機搬送ローラ対よりも搬送方向の下流側に設けられた加熱加圧手段と、
前記第２の収容物の少なくとも先端が前記第１の収容物と前記第３の収容物との間に挟持されるように、前記第１の搬送手段で前記第１の収容物を、前記第２の搬送手段で前記第２の収容物を、前記第３の搬送手段で前記第３の収容物を、前記待機搬送ローラ対を停止させた状態で前記待機搬送ローラ対まで搬送し、前記第１の収容物、前記第２の収容物、及び前記第３の収容物を前記待機搬送ローラ対まで搬送した後に、前記待機搬送ローラ対を駆動し、前記第１の収容物、前記第３の収容物、及びそれらの間に挟まれた前記第２の収容物を前記加熱加圧手段に搬送する制御手段と、
を備えることを特徴とするラミネート装置。
【請求項３】
前記第１の搬送手段は、前記第１の収容手段に載置された第１の収容物を、前記待機搬送ローラ対を通過する際に、前記第１の収容手段の載置面に向いた前記第１の収容物の面が所定の方向を向くように前記待機搬送ローラ対まで搬送し、
前記第２の搬送手段は、前記第２の収容手段に載置された前記第２の収容物を、前記待機搬送ローラ対を通過する際に、前記第２の収容手段の載置面に向いた前記第２の収容物の面が前記所定の方向と同一の方向を向くように前記待機搬送ローラ対まで搬送し、
前記第３の搬送手段は、前記第３の収容手段に載置された前記第３の収容物を、前記待機搬送ローラ対を通過する際に、前記第３の収容手段の載置面に向いた前記第３の収容物の面が前記所定の方向とは反対の方向を向くように前記待機搬送ローラ対まで搬送する、
ことを特徴とする請求項２に記載のラミネート装置。
【請求項４】
前記制御手段は、前記第２の収容物よりも先に前記第１の収容物と前記第３の収容物とを前記待機搬送ローラ対まで搬送する、
ことを特徴とする請求項２又は３に記載のラミネート装置。
【請求項５】
前記第２の搬送手段に、ラミネート対象物である前記第２の収容物の先端を検知する検知手段を備え、
前記制御手段は、前記検知手段が前記第２の収容物の先端を検知した時刻から所定の時間が経過した後に、前記待機搬送ローラ対の駆動を開始させる、
ことを特徴とする請求項２乃至４のいずれか一項に記載のラミネート装置。
【請求項６】
前記第１の収容手段は、前記第２の収容手段よりも上段に配置されている、
ことを特徴とする請求項２に記載のラミネート装置。
【請求項７】
印刷モードとラミネートモードとを切り替える切替手段と、
第１の収容物として第１のラミネートフィルムまたは被印刷媒体を収容する第１の収容手段と、
第２の収容物として第２のラミネートフィルムまたは被印刷媒体を収容する第２の収容手段と、
第３の収容物としてラミネート対象媒体または被印刷媒体を収容する第３の収容手段と、
待機搬送ローラ対よりも搬送方向の下流側に設けられた定着手段と、
前記切替手段により前記ラミネートモードに切り替えられた際に、前記待機搬送ローラ対を停止させた状態で、前記第１の収容手段から供給される前記第１の収容物と前記第２の収容手段から供給される前記第２の収容物とをそれぞれの先端が前記待機搬送ローラ対に当接するまで搬送する共に、前記第３の収容手段から供給される前記第３の収容物を前記待機搬送ローラ対に当接されて停止している前記第１の収容物と前記第２の収容物との間に搬送し、その後、前記待機搬送ローラ対を駆動し、前記第１の収容物、前記第２の収容物、及びそれらの間に挟まれた前記第３の収容物を前記定着手段に搬送する搬送手段と、
を備えることを特徴とする画像形成装置。
【請求項８】
印刷モードとラミネートモードとを切り替える切替手段と、
第１の収容手段に載置された第１の収容物を待機搬送ローラ対まで搬送するための第１の搬送手段と、
第２の収容手段に載置された第２の収容物を前記待機搬送ローラ対まで搬送するための第２の搬送手段と、
第３の収容手段に載置された第３の収容物を前記待機搬送ローラ対まで搬送するための第３の搬送手段と、
前記第１の収容物、前記第２の収容物又は前記第３の収容物を前記待機搬送ローラ対まで搬送した後に前記待機搬送ローラ対を駆動させる制御手段と、
前記待機搬送ローラ対よりも搬送方向の下流側に設けられた定着手段と、
を備え、
前記制御手段は、前記切替手段により前記ラミネートモードに切り替えられた際に、前記第２の収容物の少なくとも先端が前記第１の収容物と前記第３の収容物との間に挟持されるように、前記第１の搬送手段で前記第１の収容物を、前記第２の搬送手段で前記第２の収容物を、前記第３の搬送手段で前記第３の収容物を、前記待機搬送ローラ対を停止させた状態で前記待機搬送ローラ対まで搬送し、前記第１の収容物、前記第２の収容物、及び前記第３の収容物を前記待機搬送ローラ対まで搬送した後に、前記第１の収容物、前記第３の収容物及びそれらの間に挟まれた前記第２の収容物を前記定着手段に搬送する、
ことを特徴とする画像形成装置。
【請求項９】
前記第１の搬送手段は、前記第１の収容手段に載置された前記第１の収容物を、前記待機搬送ローラ対を通過する際に、前記第１の収容手段の載置面に向いた前記第１の収容物の面が所定の方向を向くように前記待機搬送ローラ対まで搬送し、
前記第２の搬送手段は、前記第２の収容手段に載置された前記第２の収容物を、前記待機搬送ローラ対を通過する際に、前記第２の収容手段の載置面に向いた前記第２の収容物の面が前記所定の方向と同一の方向を向くように前記待機搬送ローラ対まで搬送し、
前記第３の搬送手段は、前記第３の収容手段に載置された前記第３の収容物を、前記待機搬送ローラ対を通過する際に、前記第３の収容手段の載置面に向いた前記第３の収容物の面が前記所定の方向とは反対の方向を向くように前記待機搬送ローラ対まで搬送する、
ことを特徴とする請求項８に記載の画像形成装置。
【請求項１０】
前記制御手段は、前記第２の収容物よりも先に前記第１の収容物と前記第３の収容物とを前記待機搬送ローラ対まで搬送する、
ことを特徴とする請求項８又は９に記載の画像形成装置。
【請求項１１】
前記第２の搬送手段に、ラミネート対象物である前記第２の収容物の先端を検知する検知手段を備え、
前記制御手段は、前記検知手段が前記第２の収容物の先端を検知した時刻から所定の時間が経過した後に、前記待機搬送ローラ対の駆動を開始させる、
ことを特徴とする請求項８乃至１０のいずれか一項に記載の画像形成装置。
【請求項１２】
前記第１の収容手段は、前記第２の収容手段よりも上段に配置されている、
ことを特徴とする請求項８乃至１１のいずれか一項に記載の画像形成装置。
【請求項１３】
前記第１の収容手段、及び前記第２の収容手段は、画像形成手段の下部に上下２段に配置された給紙カセットであり、前記第３の収容手段は、装置の側面に設けられた開成可能な手差しトレーである、
ことを特徴とする請求項８乃至１２のいずれか一項に記載の画像形成装置。
【請求項１４】
前記制御手段は、前記切替手段により前記ラミネートモードに切り替えられた際に、画像形成手段において形成されるトナー層の搬送を停止させる、
ことを特徴とする請求項８乃至１３のいずれか一項に記載の画像形成装置。
【請求項１５】
前記ラミネートモードでは、前記第１の収容物として前記第１の収容手段に載置されたラミネートフィルム、前記第２の収容物として前記第２の収容手段に載置されたラミネート対象媒体、及び前記第３の収容物として前記第３の収容手段に載置された他のラミネートフィルムがそれぞれ搬送される、
ことを特徴とする請求項８乃至１４のいずれか一項に記載の画像形成装置。